(57)【要約】【課題】デジタルデータの永久保存を可能にする記録型光ディスクを提供することを目的とする。【解決手段】基質に可溶性顔料前駆体を使用して形成された顔料コーティングをすることによってデータが永久保存されるように加工された光ディスクにおいて、データが記録される第１の領域と、データのスクランブルを解除するためのスクランブル鍵情報の記録を不能にするために、無効なスクランブル鍵データを含む固定データを予め消去不可能な形で永久記録した永久記録領域と書き込み可能領域の２つの領域から成る制御情報記録領域を有する第２の領域とから構成され、基質として、金または白金を使用することを特徴とする、財産価値のある記録型光ディスク。【選択図】図１ 
2006031863.tif 000002
【特許請求の範囲】
【請求項１】
基質に可溶性顔料前駆体を使用して形成された顔料コーティングをすることによってデータが永久保存されるように加工された光ディスクにおいて、データが記録される第１の領域と、データのスクランブルを解除するためのスクランブル鍵情報の記録を不能にするために、無効なスクランブル鍵データを含む固定データを予め消去不可能な形で永久記録した永久記録領域と書き込み可能領域の２つの領域から成る制御情報記録領域を有する第２の領域とから構成され、内符号と外符号の積符号でエラー訂正符号化して記録する光ディスクの書き込み方法であって、前記第１の領域に記録する場合には、書き込むデータに対して正常な内符号パリティと外符号パリティを生成するエラー訂正符号エンコードステップと、生成されたエラー訂正符号全体を光ディスクに記録
する全体記録ステップから構成され、前記制御情報記録領域に記録する場合には、書き込み可能領域の内符号に対して内符号パリティを生成する内符号エンコードステップと、生成された書き込み可能領域の内符号を光ディスクの前記書き込み可能領域に記録する部分記録ステップから構成されることを特徴とする記録型光ディスク。
【請求項２】
基質として、金または白金を用いることを特徴とする、請求項１記載の記録型光ディスク。
【発明の詳細な説明】
【技術分野】
【０００１】
本発明は、デジタルデータを記録する記録型光ディスクに関する。
【背景技術】
【０００２】
光ディスクはランダムアクセスや長期保存が可能という特質を有しており、一つの装置で記録型と再生専用の両方の光ディスクが記録再生できる光ディスク装置が世に広がりつつある。ところが、記録型と再生専用型の光ディスクの両方が１つの装置で扱えるようになると、再生専用型に記録されたＡＶデータに対する著作権が大きな課題となってきた。
【０００３】
すなわち、再生専用の光ディスクに記録されたＡＶデータを一般ユーザーがそのまま記録型光ディスクに違法にコピーすることで、本来そのＡＶデータの著作者に支払われるべき著作料を払うこと無しに、またデジタル記録が可能なことから音質や画質の劣化なしに、不当な複製を入手することが可能になるからである。
【０００４】
また、一方でせっかくコレクションした画像デジタルデータ、例えば、自分の気に入っ
た俳優の画像資料を子孫に伝承したいという希望も多くの人が持つようになったのは事実である。良いコンテンツの光ディスクが商品化されるとともに、せっかく書き込まれた、あるいは自分で収集し、書き込んだデジタルデータを半永久的に残しておきたいという欲望も併せて持つようになった傾向は多くの人に見られるのは、デジタルカメラや画像スキャナーの普及に伴い、自分に照らして見ても事実のようである。
【０００５】
ちなみに、本発明者の場合、女優では特に藤純子さんの画像を日本国の貴重な財産として、残しておく必要があると常日頃考えているが、その代表的な画像データを図１に記す。図１を見れば一目瞭然であるように、藤純子さんの美貌は、まったく稀有なものであり、日本国の有史以来、何らかの形で記録が残されている女性の中でも、空前にして絶後である。また、その演技も美の究極にある。東映ビデオ株式会社では、藤純子さんのＤＶＤを「非牡丹博徒シリーズ」を中心にいくらか残してはいるものの、本発明者が彼女の最高作であると考えている「女渡世人・おたの申します」（１９７１年上映、本発明者２２歳の時である）は、ＤＶＤ化の予定がないことは誠に残念なことである。
【０００６】
また、東映ビデオ株式会社が提供するところの、１本５千円以下の大衆販売用ＤＶＤでは、未来永劫その画像データが完全に残るという保証はないと思われる。ある意味では、本特許出願書類に藤純子さんの画像を掲載させて戴くのも、日本国の財産を残す一つの方策ではあるが、このこと自体には、産業上の利用価値の観点から、特許性がないので、本発明者が論点とするところではない。わかりやすく言えば、本発明は、特許出願を利用した画像データの永久保存というようなビジネスモデルの発明を意図するものではないということである。本発明者は、自分がコレクションしたデジタルデータをいかに永久的に保存できるかというところの光式記憶媒体や光式記憶方式について、提案するものである。ところで、デジタルデータの永久保存に関する先行文献について、検索したところ次のようなものが、発見された。
【０００７】
特開２００２−１９０１８３号公報（特許文献１）には、記録済みの情報のうち過去に再生したことのある情報部分を特定でき再生済み情報を持つことを特徴とするデジタル
記録媒体。限られた記憶容量を持つデジタル記録媒体に記録済みの情報のうち、過去に再生されたことがある情報部分を前記再生済み情報に基づき自動検出するように構成したことを特徴とする、媒体を用いたデジタル情報の記録または再生システム。限られた記憶容量を持つデジタル記録媒体へ情報記録中に記録容量不足となったときに、前記自動検出によって検出された再生済み情報部分を新規記録エリアとして解放することにより、記録可能時間を拡大するように構成したことを特徴とする記載のシステム。
【０００８】
記録済みの情報のうち保存すべき情報部分を特定できるアーカイブ情報を持つことを特徴とするデジタル記録媒体。前記アーカイブ情報が、書換可能なフラグで構成されることを特徴とする記載の媒体。前記の記載の媒体に対して情報記録を行いあるいは情報再生を行う装置。削除可能なことを示すフラグが付された記録情報を削除することで、限られた記憶容量を持つデジタル記録媒体に対する記録可能時間を拡大するように構成したことを特徴とするデジタル
情報の記録システム。
【０００９】
記録済みの情報のうち過去に再生したことのある情報部分を特定できる再生済み情報を含む管理領域が格納された記録媒体に適用されるものであって、前記記録媒体に対する特定情報の記録終了後、この特定情報に対応した前記再生済み情報を未再生状態に設定する処理を含むことを特徴とする処理方法またはこの方法を実行するコンピュータ読込可能プログラム。記録済みの情報のうち過去に再生したことのある情報部分を特定できる再生済み情報を含む管理領域が格納された記録媒体に適用されるものであって、前記記録媒体の前記情報部分の再生終了後、この情報部分に対応した前記再生済み情報を、再生済み状態に設定する処理を含むことを特徴とする処理方法またはこの方法を実行するコンピュータ読込可能プログラム。
【００１０】
記録済みの情報のうち永久保存しようとする情報部分を特定できるアーカイブ情報を含む管理領域が格納された記録媒体に適用されるものであって、特定の情報部分に対応した前記アーカイブ情報を、永久保存でないフリーな状態に設定する処理を含むことを特徴とする処理方法またはこの方法を実行するコンピュータ読込可能プログラム。記録済みの情報のうち永久保存しようとする情報部分を特定できるアーカイブ情報を含む管理領域が格納された記録媒体に適用されるものであって、特定の情報部分に対応した前記アーカイブ情報を、永久保存の状態に設定する処理を含むことを特徴とする処理方法またはこの方法を実行するコンピュータ読込可能プログラム。
【００１１】
記録済みの情報のうち過去に再生したことのある情報部分を特定できる再生済み情報を含む管理領域が格納された記録媒体に適用されるものであって、前記記録媒体の前記管理領域に含まれる前記再生済み情報の内容を確認する処理と；前記再生済み情報が再生済み状態に設定されている情報部分を選択的に削除可能とする処理とを含むことを特徴とする処理方法またはこの方法を実行するコンピュータ読込可能プログラム。
【００１２】
記録済みの情報のうち過去に再生したことのある情報部分を特定できる再生済み情報および記録済みの情報のうち永久保存しようとする情報部分を特定できるアーカイブ情報を含む管理領域が格納された記録媒体に適用されるものであって、前記記録媒の前記管理領域に含まれる前記再生済み情報の内容および前記アーカイブ情報の内容を確認する処理と；前記再生済み情報が再生済み状態に設定されており、かつ前記アーカイブ情報が永久保存状態に設定されていない情報部分を選択的に削除可能とする処理とを含むことを特徴とする処理方法またはこの方法を実行するコンピュータ読込可能プログラム。
【００１３】
記録済みの情報のうち過去に再生したことのある情報部分を特定できる再生済み情報を含む管理領域が格納された記録媒体に適用されるものであって、前記記録媒体の前記情報部分の再生終了後、この情報部分に対応した前記再生済み情報を、再生済み状態に設定する処理と；限られた記憶容量を持つ前記記録媒体に可変記録レートで情報記録を行った結果、この媒体に残された空き容量が所定値を切ったときに、前記空き容量と前記可変記録レートとに基づいて前記媒体に記録可能な残り時間を算出する処理と；を含むことを特徴とする処理方法またはこの方法を実行するコンピュータ読込可能プログラム。記録済みの情報のうち永久保存しようとする情報部分を特定できるアーカイブ情報を含む管理領域が格納された記録媒体に適用されるものであって、特定の情報部分に対応した前記アーカイブ情報を、永久保存でないフリーな状態に設定する処理と；限られた記憶容量を持つ前記記録媒体に可変記録レートで情報記録を行った結果、この媒体に残された空き容量が所定値を切ったときに、前記空き容量と前記可変記録レートとに基づいて前記媒体に記録可能な残り時間を算出する処理と；を含むことを特徴とする処理方法またはこの方法を実行するコンピュータ読込可能プログラムが開示されている。
【００１４】
基質と可溶性顔料前駆体を使用して形成された顔料コーティングとを含有する材料を製造する方法、その方法によって製造された特定材料、ならびにその材料をカラーフィルターとしてあるいはデジタル情報の永久保存のために使用する方法に関しては、特開平９−３３６２号公報（特許文献２）には、基質の表面上に、式（Ｉ）または（II) またはその誘導体（式中、Ａはキナクリドン、アントラキノン、ペリレン、インジゴ、アゾ、キノフタロン、イソインドリノン、イソインドリン、ジオキサジン、フタロシアニンまたはジケトピロロピロール系の発色団の残基であり、これはＤ1 およびｘ個のＤ2 に結合された複数個の窒素原子を含有しており、Ａの中に存在する各窒素原子は互いに独立的に０、１または２個の基Ｄ1 またはＤ2 に結合されていることができる、Ｄ1 とＤ2 とは水素であり、ｘは０乃至４の整数であり、そしてＰｃはフタロシアニン系の発色団である）の１種またはそれ以上の顔料からなる顔料コーティングの少なくとも１つが存在している基質を含有する材料の製造方法において、該コーティングが下記工程（ａ）と（ｂ）とによって付与されることを特徴とする方法。
【００１５】
（ａ）基質を、式(III）の潜在顔料またはその誘導体の少なくとも１種の、または式（IVの潜在顔料またはそれらの誘導体、またはそれらの位置異性体の少なくとも１種の溶液または溶融物を用いてコーティングし、式(III) 中のＡとｘとは式（Ｉ）の場合と同じ意味を有し、ＡはＤ3 およびｘ個のＤ4 に結合された複数個の窒素原子を含有しており、Ａの中に存在する各窒素原子は互いに独立的に０、１または２個の基Ｄ3 またはＤ4 に結合されていることができる、Ｄ3 とＤ4 とは互いに独立的に下記式のいずれかの基である、そして式(IV)中のＬ1 およびＬ2 は互いに独立的にハロゲン、Ｃ1-Ｃ18アルコキシ、Ｃ2-Ｃ18ジアルキルアミノ、Ｃ1-Ｃ18シクロアルキルアミノ、Ｃ1-Ｃ6 アルキルピペリジノまたはモルホリノであり、Ｍは２個の水素原子または少なくとも二価の金属原子である、そして（ｂ）基Ｄ3 およびＤ4 を除去することによってそれらを水素で置換するか、または基Ｌ1 およびＬ2 を除去することによって該潜在顔料を部分的または完全にその不溶性顔料形態に転換する式（Ｖａ），（Ｖｂ）および（Ｖｃ）において、ｍ，ｎおよびｐは互いに独立的に０または１の数であり、ＸはＣ1-Ｃ14アルキレン、Ｃ2-Ｃ14アルケニレン、Ｃ2-Ｃ14アルキニレン、Ｃ4-Ｃ12シクロアルキレンまたはＣ4-Ｃ12シクロアルケニレンであり、Ｙは基−Ｖ−（ＣＨ2)q-であり，Ｚは基−Ｖ−（ＣＨ2)r-であり，ＶはＣ3-Ｃ6 シクロアルキレンであり、ｑは１乃至６の数であり、そして、ｒは０乃至６の数であり、R1とR2とは互いに独立的に水素、Ｃ1-Ｃ6 アルキル、Ｃ1-Ｃ4 アルコキシ、ハロ ゲン、ＣＮ、ＮＯ2 、置換されていないか、またはＣ1-Ｃ4 アルキル、Ｃ1-Ｃ4 アルコキシま たはハロゲンによって置換されたフェニル、またはフェノキシであり、Ｑは水素、ＣＮ、Ｓi(R1)3、基（R5）(R6)（R7）（ここにおいて、R5、R6およびR7は互いに独立的に水素またはハロゲンであり、そして基R5、R6およびR7のうちの少なくとも１つはハロゲンである）、式の基（式中、R1とR2とは前記に定義した通りである）、基ＳＯ2 R8またはＳR8（ここにおいて、R8はＣ1-Ｃ4 アルキルである）、基ＣＨ(R9)2 （ここにおいて、R9は置換されていないか、またはＣ1-Ｃ4 アルキル、Ｃ1-Ｃ4 アルコキシまたはハロゲンによって置換されたフェニルである）、または下記式のいずれかの基であり、R3とR4とは互いに独立的に水素、Ｃ1-Ｃ18アルキル、または式の基（式中、Ｘ、Ｙ、R1、R2、ｍおよびｎは上記に定義した通りである）であるか、またはR3とR4とはそれらが結合している窒素原子と一緒でピロリジニル、ピペリジルまたはモルホリニル基を形成する。
【００１６】
工程（ａ）と（ｂ）との後に、さらに残存潜在顔料を除去する工程（ｃ）が続く方法。基質が、その表面の一部分のみを工程（ａ）においてコーティングされる方法。工程（ａ）が浸漬、噴霧、プリント、カーテンコーティング、ナイフコーティングまたはスピンコーティングによって実施される方法。工程（ａ）がスピンコーティングによって実施される方法。工程（ｂ）が集束レーザービームを使用して実施される請方法。工程（ｂ）が熱源の接近作用によって実施される方法。式（Ｉ）または（II）の１種またはそれ以上顔料からなる顔料コーティングの少なくとも１つをその表面に有する基質を包含し、該コーティングが該基質表面の一部分上において実質的に均一であり、そして基質表面の残りの部分には存在していない材料。前記材料をデジタル情報の永久保存のために使用する方法。
【００１７】
コーティングされるべき基質は、その化学組成物およびその形態においてまったく臨界的ではない。たとえば、基質は次のような材料でありうる。金属、金属酸化物、プラスチック、非金属または複合材料たとえばガラス、陶器、光輝処理、下塗り、または塗覆されているスチール、アルミニウム、シリコン、インジウム／スズ酸化物、ガリウム・ヒ素、ポリ塩化ビニル、ポリエチレンテレフタレート、ポリプロピレン、ポリアミド、ポリアクリレート、ポリスチレンおよびこれらの混合物、合金または共重合体。これらは任意の物品および任意の製品でありうる。たとえば板、金属パネル、フィルム、チューブ、繊維、織布、びん、ラミネートまたはウエファーなどの形状でありうること。
【００１８】
基質材料がプラスチックからなるまたはプラスチックを含有する場合には、そのプラスチックは任意所望の高分子有機材料でありうること。例をあげれば、ビニルポリマーたとえばポリスチレン、ポリ−α−メチルスチレン、ポリ−ｐ−メチルスチレン、ポリ−ｐ−ヒドロキシスチレン、ポリ−ｐ−ヒドロキシフェニルスチレン、ポリ（メチルアクリレート）およびポリ（アクリルアミド）および対応するメタクリル化合物、ポリ（メチルマレエート）、ポリ（アクリロニトリル）、ポリ（メタクリロニトリル）、ポリ（塩化ビニル）、ポリ（フッ化ビニル）、ポリ（塩化ビニリデン）、ポリ（フッ化ビニリデン）、ポリ（酢酸ビニル）、ポリ（メチルビニルエーテル）およびポリ（ブチルビニルエーテル）；Ｃ1-Ｃ6 アルデヒドたとえばホルムアルデヒドまたはアセトアルデヒドと、二環式または好ましくは単環式フェノール（これは、置換されていないか、または１個または２個のＣ1-Ｃ9 アルキル基、１個または２個のハロゲン原子または１つのフェニル環によって置換されている）たとえばｏ−，ｍ−またはｐ−クレゾール、キシレン、ｐ−ｔｅｒｔ−ブチルフェノール，ｐ−クロロフェニルまたはｐ−フェニルフェノール、ｏ−、ｍ−またはｐ−ノニルフェノールあるいは１個以上のフェノール基を有する化合物たとえばレソルシン、ビス−（４−ヒドロキシフェニル）メタンまたは２、２−ビス−（４−ヒドロキシフェニル）プロパンとから誘導されたノボラック；マレインイミドおよび／または無水マレイン酸から誘導された重合体たとえば無水マレイン酸とスチレンとの共重合体；ポリ（ビニルピロリドン）；バイオポリマーならびにそれらの誘導体たとえばセルロース、スターチ、キチン、キトサン、ゼラチン、ゼイン、エチルセルロース、ニトロセルロース、酢酸セルロースおよびセルロースブチラート；
天然樹脂および合成樹脂たとえばゴム、カゼイン、シリコン、シリコーン樹脂、ＡＢＳ、尿素−およびメラミン−ホルムアルデヒド樹脂、アルキド樹脂、フェノール樹脂、ポリアミド、ポリイミド、ポリアミド／イミド、ポリスルホン、ポリエーテルスルホン、ポリフェニレンオキシド、ポリウレタン、ポリユリア、ポリカーボネート、ポリアリレーン、ポリアリーレンスルフィド、ポリエポキシド、ポリオレフィン、ポリアルカジエン。
【００１９】
好ましい高分子有機材料はセルロースエーテルおよびセルロースエステル類たとえばエチルセルロース、ニトロセルロース、酢酸セルロース、セルロースブチラート、天然樹脂または合成樹脂たとえば付加重合樹脂または縮合樹脂、たとえばアミノ樹脂、特に尿素−及びメラミン−ホルムアルデヒド樹脂、アルキド樹脂、フェノー樹脂、ポリカーボネート、ポリエステル、ポリオレフィン、ポリスチレン、ポリ塩化ビニル、ポリアミド、ポリウレタン、ＡＢＳ、ポリエチレンオキシド、シリコン、シリコーン樹脂およびこれらの混合物である。
【００２０】
コーティング作業のためには、潜在顔料を単に溶融するか、または好ましくは適正な溶剤に溶解する。潜在顔料の混合物も使用できる。この場合には、個々の成分を一緒に、または順次溶融してもよいし、また、適切な溶剤に溶解してもよい。比較的低い混合溶融温度または比較的高い濃度が可能である。潜在顔料は、やや高められた温度、便宜的には３０℃から使用溶剤の沸点までの範囲の温度において、撹拌しながら溶解するのが好ましい。
【００２１】
この発明による材料は、装飾的着色に使用することができる。しかしながら、好ましい用途はデジタル情報の永久保存のための使用、特に好ましくは、カラーフィルターとしての使用である。これは、透明基質と青、緑および赤の顔料コーティングを有する領域とからなる上記した材料にとって、特に適当な用途である。本発明による材料がカラーフィルターとして、あるいはデジタル情報の記録に使用される場合、特別の利点は、その高い解像度、高い透明性、対応する可溶性染料と比較した場合の卓越した顔料安定性および内部着色の場合と比較しての実質的に薄い塗層の厚さである。
【００２２】
この発明による材料がデジタル情報の保存に使用される場合、情報は材料を光源、たとえば集束レーザー光線を用いて光照射することによって記録され、そして反射または透過された光ビームの濃度を測定することによって読み出される。これは実質的に低エネルギーの利点があり、好ましい。本顔料コーティングの均質性および安定性は、読取り品質の低下を伴うことなく頻繁、正確な読出しを可能にする。異なる厚さの同種の重なり合った複数の顔料コーティングを有する材料は異なる濃度の信号を発生させ、画素１個当たりに多量のビットを保存することが可能である。したがって、本発明はさらに、本発明による材料に保存されたデジタル情報を、光源で光照射し、そして反射された、または透過された光ビームの濃度を測定することによって読出す方法を提供することが開示されている。
【００２３】
特開平８−２４９６４６号公報（特許文献３）には、長手方向に延びる平らなテープ形状の基板と、前記基板上の磁気コーティングとを含む磁気記録媒体であって、前記コーティングは針状の磁気粒子からなり、前記針状の磁気粒子は該粒子の長さに対して垂直な磁化容易軸を有し、前記針状の磁気粒子は前記基板に対して平行な第一の複数の平面状に配置され、前記針状の磁気粒子の長さが前記平らなテープの表面に平行で、かつ該平らなテープの長手方向と直角になるように配向され、前記磁化容易軸はさらに、前記基板に鉛直な第二の複数の平面中に無作為に配向され、前記第二の複数の平面は前記平らなテープの前記長手方向に平行であることを特徴とする磁気記録媒体。
【００２４】
磁気記録技術は、トラック密度と線形記録密度とをどちらも向上させながら、記録面積密度を高めることをめざしている。かかる開発の傾向には磁気記録／再生用変換器および記録媒体が改善されてきたことが貢献している。一例として、米国特許第4,302,790 号には、磁気ギャップの長さが１５μ未満のマイクロギャップ記録ヘッドを用いた、改良型高線形密度記録システムが開示されている。このマイクロギャップ記録ヘッドは従来の長さ方向に磁化できる媒体と共に用いた場合に高密度性能を向上させ、かつこの米国特許で説明されているように、この記録ヘッドは、厚さ方向および長さ方向の両方向に磁化できる媒体と共に用いると、性能をより一層高めることができることが開示されている。
【００２５】
ＷＯ９９／３６１９３号公報（特許文献４）には、摩耗環境中で使用される基体材料が、耐摩耗性セラミックコーティングを施用するプロセスの最中に変形しないように、前記基体材料の表面に前記耐摩耗性セラミックコーティングを提供する方法であって：（１）アモルファスでありかつ伝導性である遷移金属窒化物類からなるセラミックスの群から前記セラミックコーティングを選択する工程と；（２）前記基体材料が変形しないように、ほぼ室温の施用プロセスを使用して、前記基体材料に前記耐摩耗性セラミックコーティングを施用する工程と；を含む方法。
【００２６】
前記方法は、アモルファスである耐摩耗性セラミックコーティングを施用する工程をさらに含む、方法。前記方法は、遷移金属窒化物類である少なくとも２種のセラミック材料を施用する工程をさらに含む、方法。前記方法は、（１）前記基体材料に、遷移金属窒化物である少なくとも１種のセラミックと、（２）遷移金属窒化物ではない少なくとも１種の材料と、を施用する工程をさらに含む、方法。前記方法は、前記セラミックコーティングを用いて、少なくとも部分的に前記記憶装置をコーティングし、それによってＥＭＩ及びＲＦＩからの保護を提供する工程をさらに含む、方法。記録媒体を含む製品の群から選択される、方法が開示されている。
【００２７】
なお、特開平２００１−１４７９４号公報（特許文献５）には、著作権が保護をする観点からの技術が開示されている。しかし、特許文献５の発明は、もっぱら著作者や頒布者の権利保護の課題を達成する技術であり、光ディスク、特に自分が大切に思い、永久に保存・伝承したいと思っている人の期待にこたえるものではない。よって、本発明は、著作権の保護はもちろん、デジタルデータが永久的に子孫に引き継がれていくような光ディスクを提供しようとするものであり、それには、光ディスクの性能、光ディスクの財産的価値の両面から満足できるものを提供する必要がある。
【特許文献１】特開２００２−１９０１８３号公報
【特許文献２】特開平９−３３６２号公報
【特許文献３】特開平８−２４９６４６号公報
【特許文献４】ＷＯ９９／３６１９３号公報
【特許文献５】特開２００１−１４７９４号公報
【発明の開示】
【発明が解決しようとする課題】
【００２８】
本発明は、個人や国家が収集した貴重なデジタルデータを未来永劫保存可能にし、子孫に伝承されうる記録型光ディスクを提供することを課題とする。
【課題を解決するための手段】
【００２９】
本発明者は、違法コピーを防止する構造を有する記録型光ディスクを採用し、その基質として金または白金を使用し、基質に可溶性顔料前駆体を使用して形成された顔料コーティングをすることによってデータが永久保存されるように加工された光ディスクを提供する。ここで、可溶性顔料前駆体を使用して形成された顔料コーティングをするとは、具体的には、特開平９−３３６２号公報に開示されている技術を意味する。
【００３０】
基質に可溶性顔料前駆体を使用して形成された顔料コーティングをすることによってデータが永久保存されるように加工された光ディスクにおいて、データが記録される第１の領域と、データのスクランブルを解除するためのスクランブル鍵情報の記録を不能にするために、無効なスクランブル鍵データを含む固定データを予め消去不可能な形で永久記録した永久記録領域と書き込み可能領域の２つの領域から成る制御情報記録領域を有する第２の領域とから構成され、内符号と外符号の積符号でエラー訂正符号化して記録する光ディスクの書き込み方法であって、前記第１の領域に記録する場合には、書き込むデータに対して正常な内符号パリティと外符号パリティを生成するエラー訂正符号エンコードステップと、生成されたエラー訂正符号全体を光ディスクに記録する全体記録ステップから構成され、前記制御情報記録領域に記録する場合には、書き込み可能領域の内符号に対して内符号パリティを生成する内符号エンコードステップと、生成された書き込み可能領域の内符号を光ディスクの前記書き込み可能領域に記録する部分記録ステップから構成されることを特徴とする記録型光ディスクの記録方法および記録型光ディスク。
【００３１】
以上のように本発明は、スクランブルされたデータが記録される第１の領域と、データのスクランブル解除を不能にするための無効なスクランブル鍵データを含む固定データを予め消去不可能な形で永久記録した永久記録領域と書き込み可能領域の２つの領域から成る制御情報記録領域を有する第２の領域とから構成され、前記永久記録領域においてスクランブル鍵データが存在しない領域に属する内符号の一部に、予めエラー訂正不能になるだけの誤りを挿入することにより、制御情報記録領域のみ外符号の誤り訂正能力を制限できるため、制御情報記録領域中のスクランブル鍵データを不正に改竄不能となり、結果として再生専用の光ディスクからのデジタルコピーが不可能な記録型光ディスクを実現することができる。
【００３２】
また、スクランブルされたデータが記録される第１の領域と、データのスクランブル解除を不能にするための無効なスクランブル鍵データを含む固定データを予め消去不可能な形で永久記録した永久記録領域と書き込み可能領域の２つの領域から成る制御情報記録領域を有する第２の領域とから構成され、内符号と外符号の積符号でエラー訂正符号化して記録する光ディスクの書き込み方法であって、前記第１の領域に記録する場合は、書き込むデータに対して正常な内符号パリティと外符号パリティを生成するエラー訂正符号エンコードステップと、生成されたエラー訂正符号全体を光ディスクに記録する全体記録ステップを設け、前記制御情報記録領域に記録する場合には、書き込み可能領域の内符号に対して内符号パリティを生成する内符号エンコードステップと、生成された書き込み可能領域の内符号を光ディスクの前記書き込み可能領域に記録する部分記録ステップを設けることにより、制御情報記録領域のみ外符号の誤り訂正能力を制限できるため、制御情報記録領域中のスクランブル鍵データを不正に改竄できない記録型光ディスクの記録方法を実現することができる。
【００３３】
また同様に、スクランブルされたデータが記録される第１の領域と、データのスクランブル解除を不能にするための無効なスクランブル鍵データを含む固定データを予め消去不可能な形で永久記録した永久記録領域と書き込み可能領域の２つの領域から成る制御情報記録領域を有する第２の領域とから構成され、内符号と外符号の積符号でエラー訂正符号化して記録する光ディスクの書き込み方法であって、前記第１の領域に記録する場合には、書き込むデータに対して正常な内符号パリティと外符号パリティを生成するエラー訂正符号エンコードステップと、生成されたエラー訂正符号全体を光ディスクに記録する全体記録ステップを設け、前記制御情報記録領域に記録する場合には、書き込み可能領域の内符号に対して内符号パリティを生成する内符号エンコードステップと、予めエラー訂正不能になるだけの誤りを挿入した前記永久記録領域の内符号と前記書き込み可能領域の一部の内符号の位置に、合計外符号のパリティ数の消失フラグを立てる消失フラグ設定ステップと、消失フラグが立っている内符号位置を消失位置と見なして外符号の消失訂正を行う外符号エンコードステップと、生成された書き込み可能領域の内符号を光ディスクの前記書き込み可能領域に記録する部分記録ステップを設けることにより、制御情報記録領域のみ外符号の誤り訂正能力を制限できるため、制御情報記録領域中のスクランブル鍵データを不正に改竄できない記録型光ディスクの記録方法を実現することができる。
【００３４】
また同様に、スクランブルされたデータが記録される第１の領域と、データのスクラン
ブル解除を不能にするための無効なスクランブル鍵データを含む固定データを予め消去不可能な形で永久記録した永久記録領域と書き込み可能領域の２つの領域から成る制御情報記録領域を有する第２の領域とから構成され、内符号と外符号の積符号でエラー訂正符号化して記録する光ディスクの書き込み方法であって、前記第１の領域に記録する場合には、書き込むデータに対して正常な内符号パリティと外符号パリティを生成するエラー訂正符号エンコードステップと、生成されたエラー訂正符号全体を光ディスクに記録する全体記録ステップを設け、前記制御情報記録領域に記録する場合には、書き込み可能領域の内符号に対して内符号パリティを生成する内符号エンコードステップと、外符号パリティを生成する外符号エンコードステップと、生成された書き込み可能領域の内符号を光ディスクの前記書き込み可能領域に記録する部分記録ステップを設けることにより、制御情報記録領域のみ外符号の誤り訂正能力を制限できるため、制御情報記録領域中のスクランブル鍵データを不正に改竄できない記録型光ディスクの記録方法を実現することができる。
【００３５】
基質には、金または白金を用いて、それ自体に財産価値を持たせた記録型光ディスクとする。
【発明の効果】
【００３６】
本発明によれば、著作権にとっては、著作権が正当に保護されるとともに、光ディスクを購入した者にとっては、コレクションした貴重なデジタルデータが永く保存される。また、基質として、金または白金を用いるので、光ディスクは財産的価値があるので廃品化されることなく、子孫に引き継がれていくことになり、コレクションした人にとっては、一種の社会遺産を残すことが可能になる。
【発明を実施するための最良の形態】
【００３７】
基質に可溶性顔料前駆体を使用して形成された顔料コーティングをすることによってデータが永久保存されるように加工された光ディスクにおいて、データが記録される第１の領域と、データのスクランブルを解除するためのスクランブル鍵情報の記録を不能にするために、無効なスクランブル鍵データを含む固定データを予め消去不可能な形で永久記録した永久記録領域と書き込み可能領域の２つの領域から成る制御情報記録領域を有する第２の領域とから構成され、基質として、金または白金を使用することを特徴とする、記録型光ディスク。
【実施例】
【００３８】
以下本発明を実施例により説明する。図１は、前述したように、女優藤純子さんの画像であるが、たまたま古本屋から見つけ出した、私にとっては、きわめて貴重な画像である。国会図書館とても、この本を永久保管することはできない。おそらく、いずれマイクロフィルム化されると思われるが、マイクロフィルムの寿命は５００年程度と推察される。また、マイクロフィルムにアクセスするのは、めんどうなことである。さて、私が、子孫にこの画像を紙のまま残そうとしても、それは子孫にとっては、紙では単なるゴミであり、私が亡くなれば、すぐ捨てられてしまう。本発明は、本人にとって価値のある画像を、デジタルデータとして、永久に保存・伝承したいと思う欲望に応えるための記録媒体を提供するものである。図２は本発明の記録型光ディスクの構成図である。１はリードインエリア、２はデータエリア、３はコントロールデータブロック、４は書き込み可能領域、５はプリピット記録領域である。コントロールデータブロック３は、書き込み可能領域４とプリピット記録領域５から構成される。
【００３９】
本発明における記録型光ディスクのコントロールデータブロック３のデータ構造は、再
生専用型光ディスクと互換性がある。従来と異なる点は、コントロールデータブロック３全てをプリピット記録しないことで、例えばデータエリアの終了アドレスなど、データ書き込み時に書き換える必要がある物理フォーマット情報を正しく扱える点と、コントロールデータブロック３の一部をプリピット記録領域とし、残りを書き込み可能領域としながらも、スクランブル鍵データのコピーを不能とし、スクランブルされたＡＶデータを含むディスクのデジタルコピーを防ぐことができる点である。
【００４０】
図３に本実施例における光ディスクのコントロールデータブロックのエラー訂正符号構成を示す。２１はプリピット領域の通常の内符号、２２はプリピット領域の予め誤りを挿入した内符号、２３は書きこみ可能領域の内符号である。本実施例では、外符号のパリティ数が１６（最小符号間距離は１７）、外符号の符号長が２０８とし、ＤＶＤのように１セクタを内符号１３行分、１セクタの最後の内符号は外符号パリティ領域の内符号をインタリーブするものとして説明する。また、図３は外符号インタリーブ後のＥＣＣブロック構造を表しており、外符号パリティ領域の内符号（全部で１６個）は全てプリピット領域に属し、予めエラー訂正不能になるだけの誤りを挿入している。また、他のプリピット領域の内符号は誤りを挿入せず、正常に内符号の符号化を行っている。書き込み可能領域では、書き込むべきデータ内容に内符号を生成した後で光ディスクへ書き込む。このように、本実施例における記録型光ディスクのコントロールデータブロックを再生する場合には、外符号のパリティを生成するかわりに外符号パリティ部の内符号に予めエラー訂正不能になるだけの誤りを挿入しているので、外符号のエラー訂正能力を完全に無効化することができる。
【００４１】
本実施例における記録型光ディスクのコントロールデータブロックを再生する場合、内
符号の次に外符号のエラー訂正をすることを前提に説明する。まず最初のステップとして、内符号のエラー訂正を行う。このとき、傷などでバースト誤りが発生していない場合、予めエラー訂正が不能になるだけの誤りを挿入していない内符号に関しては全てエラー訂正される。この内符号訂正のステップでは、次の外符号で消失訂正できるように、訂正不能になった符号位置に消失フラグを立てる。つまり、予めエラー訂正が不能になるだけの誤りを挿入した内符号（全部で１６個）の位置には消失フラグが立てられる。次のステップでは、外符号のエラー訂正を行う。消失フラグの数が消失訂正限界以内の場合は、消失訂正を行う。消失訂正限界は（最小符号間距離−１）で、外符号の場合１６である。したがって、前の内符号エラー訂正ステップにおいて消失フラグを立てた全ての位置にエラー訂正を行う。消失訂正限界の訂正なので、消失位置以外の場所に誤りがあった場合には訂正できない。したがって従来例で課題となったように、スクランブル鍵データ部が不正に再生されることはあり得ない。
【００４２】
次に、ＤＶＤにおけるエラー検出コードに関して説明する。図４にＤＶＤ１セクタの記録データ構成を示す。図４において、３１はユーザデータ等、３２はエラー検出コードパリティ、３３はエラー訂正符号パリティ、３４はエラー検出コードの検出区間である。ＤＶＤではエラー訂正符号のほかにエラー検出コード（ＥＤＣ）が符号化されており、エラー訂正符号による誤訂正が発生しても、誤訂正を検出できる仕組みを備えている。ＤＶＤではエラー訂正の後でエラー検出コードによる誤訂正チェックを行うが、プリピット領域で予めエラー訂正が不能になるだけの誤りを挿入した内符号の位置がエラー検出コードの検出区間３４にかかっていると、その内符号は外符号の消失訂正により予期しない値に訂正されているため、エラー検出コードによってエラー検出してしまう。つまり、コントロールデータブロックを正常に再生することができなくなる。ＤＶＤのようにエラー検出コードがエラー訂正符号とは別に設けられている場合には、プリピット領域で予めエラー訂正が不能になるだけの誤りを挿入した内符号の位置は、エラー検出コードの検出区間３４を避けて配置することにより、エラー検出コードによってエラー検出してしまう課題を解決できる。なお、図には、示されていないが、光ディスクの基材には、特に藤純子さんの画像データの保存には、白金を用いるのが格調が高く望ましい。
【００４３】
参考までに、以前の技術水準を紹介すると、
1.来の光ディスクにおいてスクランブル鍵を不正に再生するためのエラー訂正符号化方法を表している。図6。このようにすると、外符号はスクランブル鍵が存在すると見なして生成された符号であるため、図5のように記録を行った後の状態を外符号で見た場合、完全に誤りなく読みこんだとしてもスクランブル鍵データの行数（内符号数）だけ既に誤りが挿入されている符号と見なせる。つまり、その誤りシンボル数が（外符号の最小符号間距離−１）の半分（ＤＶＤの場合は８）以下であれば訂正が可能である。ＤＶＤの場合、外符号の訂正能力を全て消失訂正にまわすとすると最大で（外符号の最小符号間距離−１）つまり１６シンボルの訂正が可能となり、仮にスクランブル鍵データが１セクタ分の領域（約２キロバイト）を占有するとしても、外符号で見れば１３シンボル分にしかならないため、完全に訂正可能である。2.予めプリピットでゼロデータを記録されたスクランブル鍵データ格納セクタの１セクタ分の領域を後から上書きして破壊し、その領域の内符号を訂正不能にすると、消失訂正を用いることによりスクランブル鍵データを復活させるようなエラー訂正が可能となる。このようなエラー訂正作用により、元々スクランブル鍵データが入っている再生専用型ディスクと完全に同一のコントロールデータブロックが、不正コピーした記録型ディスクから得ることができる。図7。
【図面の簡単な説明】
【００４４】
【図１】永久保存しておきたい画像データ（女優藤純子さん）
【図２】実施例における記録用型光ディスクの構成図
【図３】実施例におけるコントロールデータブロックのＥＣＣブロック構成図
【図４】ＤＶＤ１セクタの記録データ構成図
【図５】従来のコントロールデータブロック書き込み方法
【図６】従来の光ディスクにおいてスクランブル鍵を不正に再生するためのエラー訂正符号化方法
【図７】従来の光ディスクにおいてスクランブル鍵を不正に再生する方
【符号の説明】
【００４５】
１
データエリア
２ リードインエリア
３ コントロールデータブロック
４ 書き込み可能領域
５ プリピット記録領域
１１
スクランブル鍵
２１  プリピット領域の通常の内符号
２２ プリピット領域の予め誤りを挿入した内符号
２３   書き込み可能領域の内符号
３１ ユーザデータ等
３２ エラー検出コード（ＥＤＣ）パリティ
３３ エラー検出符号（内符号、外符号）パリティ
３４ エラー検出コードの検出区間
１４１ 予めプリピットで記録済みのデータ
１４２ 後から記録するデータ
１５１ コピー元ディスクから読んだスクランブル鍵データ
１５２、１６２ スクランブル鍵情報部にスクランブル鍵データが書かれていると見なして生成した不正な外符号パリティ
１５３、１６３ その他のデータ
１６１ プリピット記録領域に上書きして破壊したスクランブル鍵情報部
【図１】
2006031863.tif 000003
【図２】
2006031863.tif 000004
【図３】
2006031863.tif 000005
【図４】
2006031863.tif 000006
【図５】
2006031863.tif 000007
【図６】
2006031863.tif 000008
【図７】
2006031863.tif 000009